(57)【要約】  本開示は、伝送方法、端末および基地局を提供し、５Ｇシステムではダウンリンク制御情報によって制御情報とデータ両方の伝送をトリガーしたか、それとも制御情報の伝送のみをトリガーしたかの具体的な区別方法がないという問題を解決する。本開示の伝送方法において、データの伝送をトリガーしたかを指示するためのＮ（１以上の整数）ビットの指示情報を含むダウンリンク制御情報ＤＣＩを受信するステップと、前記ＤＣＩでの指示情報に基づいて伝送を行うステップとを含む。【選択図】  図１
2021507590.tif 000002
【特許請求の範囲】
【請求項１】
データの伝送をトリガーしたかを指示するためのＮ（１以上の整数）ビットの指示情報を含むダウンリンク制御情報ＤＣＩを受信するステップと、
前記ＤＣＩでの指示情報に基づいて伝送を行うステップとを含む、伝送方法。
【請求項２】
前記ＤＣＩには、非周期的チャネル状態情報ＣＳＩの伝送をトリガーしたかを指示するためのＸ（１以上の整数）ビットの非周期的ＣＳＩ指示フィールドをさらに含む、請求項１に記載の伝送方法。
【請求項３】
前記Ｘビットの非周期的ＣＳＩ指示フィールドによって非周期的ＣＳＩの伝送をトリガーしなかったと指示する場合と、前記Ｎビットの指示情報によってデータの伝送をトリガーしなかったと指示する場合とは、同時に存在しない、請求項２に記載の伝送方法。
【請求項４】
前記Ｎは、１である、請求項１に記載の伝送方法。
【請求項５】
１ビットの指示情報は、０である場合、データの伝送をトリガーしなかったと指示し、１である場合、データの伝送をトリガーしたと指示し、
または、１ビットの指示情報は、０である場合、データの伝送をトリガーしたと指示し、１である場合、データの伝送をトリガーしなかったと指示する、請求項４に記載の伝送方法。
【請求項６】
前記ＤＣＩは、アップリンク伝送をスケジューリングするアップリンクＤＣＩであり、
前記の前記ＤＣＩでの指示情報に基づいて伝送を行うステップは、
前記アップリンクＤＣＩによってデータの伝送をトリガーし、前記アップリンクＤＣＩにＸビットの非周期的ＣＳＩの指示フィールドを含み、かつ前記指示フィールドが、非周期的ＣＳＩ伝送をトリガーしなかった状態にセットされる場合、前記アップリンクＤＣＩによってスケジューリングされるＰＵＳＣＨでＵＬ−ＳＣＨデータ情報を送信するステップと、
前記アップリンクＤＣＩによってデータの伝送をトリガーし、前記アップリンクＤＣＩにＸビットの非周期的ＣＳＩの指示フィールドを含み、かつ前記指示フィールドが、非周期的ＣＳＩ伝送をトリガーする状態にセットされる場合、前記アップリンクＤＣＩによってスケジューリングされるＰＵＳＣＨでＵＬ−ＳＣＨデータ情報および非周期的ＣＳＩを送信するステップと、
前記アップリンクＤＣＩによってデータの伝送をトリガーせず、前記アップリンクＤＣＩにＸビットの非周期的ＣＳＩの指示フィールドを含み、かつ前記指示フィールドが、非周期的ＣＳＩ伝送をトリガーする状態にセットされる場合、前記ＤＣＩによってスケジューリングされるＰＵＳＣＨで非周期的ＣＳＩを送信するステップとを含む、請求項１に記載の伝送方法。
【請求項７】
前記ＤＣＩは、ダウンリンク伝送をスケジューリングするダウンリンクＤＣＩであり、
前記の前記ＤＣＩでの指示情報に基づいて伝送を行うステップは、
前記ダウンリンクＤＣＩによってデータの伝送をトリガーした場合、前記ダウンリンクＤＣＩによってスケジューリングされるＰＤＳＣＨでダウンリンクデータを受信し、前記ＤＣＩに含まれるＸビットの非周期的ＣＳＩ指示フィールドに基づき、非周期的ＣＳＩを報知するか否かを決定するステップと、
前記ダウンリンクＤＣＩによってデータの伝送をトリガーせず、前記ＤＣＩにＸビットの非周期的ＣＳＩの指示フィールドを含み、かつ前記指示フィールドが、非周期的ＣＳＩ伝送をトリガーする状態にセットされる場合、前記ダウンリンクＤＣＩによってスケジューリングされるＰＵＣＣＨで非周期的ＣＳＩを送信するステップとを含む、請求項１に記載の伝送方法。
【請求項８】
前記の前記ＤＣＩに含まれるＸビットの非周期的ＣＳＩ指示フィールドに基づき、非周期的ＣＳＩを報知するか否かを決定するステップは、
前記非周期的ＣＳＩ指示フィールドによって非周期的ＣＳＩの報知を指示する場合、非周期的ＣＳＩ、および、前記ダウンリンクＤＣＩによってスケジューリングされるＰＤＳＣＨに対応するＨＡＲＱのフィードバック情報を報知することを含む、請求項７に記載の伝送方法。
【請求項９】
データの伝送をトリガーしたかを指示するためのＮ（１以上の整数）ビットの指示情報を含むダウンリンク制御情報ＤＣＩを送信するステップと、
前記ＤＣＩでの指示情報に基づいて伝送を行うステップとを含む、伝送方法。
【請求項１０】
前記ＤＣＩには、非周期的チャネル状態情報ＣＳＩの伝送をトリガーしたかを指示するためのＸ（１以上の整数）ビットの非周期的ＣＳＩ指示フィールドをさらに含む、請求項９に記載の伝送方法。
【請求項１１】
前記Ｘビットの非周期的ＣＳＩ指示フィールドによって非周期的ＣＳＩの伝送をトリガーしなかったと指示する場合と、前記Ｎビットの指示情報によってデータの伝送をトリガーしなかったと指示する場合とは、同時に存在しない、請求項１０に記載の伝送方法。
【請求項１２】
前記Ｎは、１である、請求項９に記載の伝送方法。
【請求項１３】
１ビットの指示情報は、０である場合、データの伝送をトリガーしなかったと指示し、１である場合、データの伝送をトリガーしたと指示し、
または、１ビットの指示情報は、０である場合、データの伝送をトリガーしたと指示し、１である場合、データの伝送をトリガーしなかったと指示する、請求項１２に記載の伝送方法。
【請求項１４】
前記ＤＣＩは、アップリンク伝送をスケジューリングするアップリンクＤＣＩであり、
前記の前記ＤＣＩでの指示情報に基づいて伝送を行うステップは、
前記アップリンクＤＣＩによってデータの伝送をトリガーし、前記アップリンクＤＣＩにＸビットの非周期的ＣＳＩの指示フィールドを含み、かつ前記指示フィールドが、非周期的ＣＳＩ伝送をトリガーしなかった状態にセットされる場合、前記アップリンクＤＣＩによってスケジューリングされるＰＵＳＣＨでＵＬ−ＳＣＨデータ情報を受信するステップと、
前記アップリンクＤＣＩによってデータの伝送をトリガーし、前記アップリンクＤＣＩにＸビットの非周期的ＣＳＩの指示フィールドを含み、かつ前記指示フィールドが、非周期的ＣＳＩ伝送をトリガーする状態にセットされる場合、前記アップリンクＤＣＩによってスケジューリングされるＰＵＳＣＨでＵＬ−ＳＣＨデータ情報および非周期的ＣＳＩを受信するステップと、
前記ＤＣＩによってデータの伝送をトリガーせず、前記アップリンクＤＣＩにＸビットの非周期的ＣＳＩの指示フィールドを含み、かつ前記指示フィールドが、非周期的ＣＳＩ伝送をトリガーする状態にセットされる場合、前記ＤＣＩによってスケジューリングされるＰＵＳＣＨで非周期的ＣＳＩを受信するステップとを含む、請求項９に記載の伝送方法。
【請求項１５】
前記ＤＣＩは、ダウンリンク伝送をスケジューリングするダウンリンクＤＣＩであり、
前記の前記ＤＣＩでの指示情報に基づいて伝送を行うステップは、
前記ダウンリンクＤＣＩによってデータの伝送をトリガーした場合、前記ダウンリンクＤＣＩによってスケジューリングされるＰＤＳＣＨでダウンリンクデータを送信するステップと、
前記ダウンリンクＤＣＩによってデータの伝送をトリガーせず、前記ＤＣＩにＸビットの非周期的ＣＳＩの指示フィールドを含み、かつ前記指示フィールドが、非周期的ＣＳＩ伝送をトリガーする状態にセットされる場合、前記ダウンリンクＤＣＩによってスケジューリングされるＰＵＣＣＨで非周期的ＣＳＩを受信するステップとを含む、請求項９に記載の伝送方法。
【請求項１６】
トランシーバと、メモリと、プロセッサと、メモリに格納されてプロセッサで実行可能なプログラムを含む端末において、
前記プロセッサは、前記プログラムを実行すると、
データの伝送をトリガーしたかを指示するためのＮ（１以上の整数）ビットの指示情報を含むダウンリンク制御情報ＤＣＩをトランシーバで受信するステップと、
前記ＤＣＩでの指示情報に基づいて伝送を行うステップとを実現する、端末。
【請求項１７】
前記ＤＣＩには、非周期的チャネル状態情報ＣＳＩの伝送をトリガーしたかを指示するためのＸ（１以上の整数）ビットの非周期的ＣＳＩ指示フィールドをさらに含む、請求項１６に記載の端末。
【請求項１８】
前記Ｘビットの非周期的ＣＳＩ指示フィールドによって非周期的ＣＳＩの伝送をトリガーしなかったと指示する場合と、前記Ｎビットの指示情報によってデータの伝送をトリガーしなかったと指示する場合とは、同時に存在しない、請求項１７に記載の端末。
【請求項１９】
前記Ｎは、１である、請求項１６に記載の端末。
【請求項２０】
１ビットの指示情報は、０である場合、データの伝送をトリガーしなかったと指示し、１である場合、データの伝送をトリガーしたと指示し、
または、１ビットの指示情報は、０である場合、データの伝送をトリガーしたと指示し、１である場合、データの伝送をトリガーしなかったと指示する、請求項１９に記載の端末。
【請求項２１】
前記ＤＣＩは、アップリンク伝送をスケジューリングするアップリンクＤＣＩであり、
前記プロセッサは、前記プログラムを実行すると、さらに、
前記アップリンクＤＣＩによってデータの伝送をトリガーし、前記アップリンクＤＣＩにＸビットの非周期的ＣＳＩの指示フィールドを含み、かつ前記指示フィールドが、非周期的ＣＳＩ伝送をトリガーしなかった状態にセットされる場合、前記アップリンクＤＣＩによってスケジューリングされるＰＵＳＣＨでＵＬ−ＳＣＨデータ情報をトランシーバで送信するステップと、
前記アップリンクＤＣＩによってデータの伝送をトリガーし、前記アップリンクＤＣＩにＸビットの非周期的ＣＳＩの指示フィールドを含み、かつ前記指示フィールドが、非周期的ＣＳＩ伝送をトリガーする状態にセットされる場合、前記アップリンクＤＣＩによってスケジューリングされるＰＵＳＣＨでＵＬ−ＳＣＨデータ情報および非周期的ＣＳＩをトランシーバで送信するステップと、
前記アップリンクＤＣＩによってデータの伝送をトリガーせず、前記アップリンクＤＣＩにＸビットの非周期的ＣＳＩの指示フィールドを含み、かつ前記指示フィールドが、非周期的ＣＳＩ伝送をトリガーする状態にセットされる場合、前記ＤＣＩによってスケジューリングされるＰＵＳＣＨで非周期的ＣＳＩをトランシーバで送信するステップとを実現する、請求項１６に記載の端末。
【請求項２２】
前記ＤＣＩは、ダウンリンク伝送をスケジューリングするダウンリンクＤＣＩであり、
前記プロセッサは、前記プログラムを実行すると、さらに、
前記ダウンリンクＤＣＩによってデータの伝送をトリガーした場合、前記ダウンリンクＤＣＩによってスケジューリングされるＰＤＳＣＨでダウンリンクデータをトランシーバで受信し、前記ＤＣＩに含まれるＸビットの非周期的ＣＳＩ指示フィールドに基づき、非周期的ＣＳＩを報知するか否かを決定するステップと、
前記ダウンリンクＤＣＩによってデータの伝送をトリガーせず、前記ＤＣＩにＸビットの非周期的ＣＳＩの指示フィールドを含み、かつ前記指示フィールドが、非周期的ＣＳＩ伝送をトリガーする状態にセットされる場合、前記ダウンリンクＤＣＩによってスケジューリングされるＰＵＣＣＨで非周期的ＣＳＩをトランシーバで送信するステップとを実現する、請求項１６に記載の端末。
【請求項２３】
前記プロセッサは、前記プログラムを実行すると、さらに、
前記非周期的ＣＳＩ指示フィールドによって非周期的ＣＳＩの報知を指示する場合、非周期的ＣＳＩ、および、前記ダウンリンクＤＣＩによってスケジューリングされるＰＤＳＣＨに対応するＨＡＲＱのフィードバック情報を報知するステップを実現する、請求項２２に記載の端末。
【請求項２４】
プログラムが格納されているコンピュータ読み取り可能な記憶媒体であって、
当該プログラムがプロセッサによって実行されると、請求項１〜８のいずれか一項に記載の伝送方法のステップが実現される、コンピュータ読み取り可能な記憶媒体。
【請求項２５】
トランシーバと、メモリと、プロセッサと、メモリに格納されてプロセッサで実行可能なプログラムを含む基地局において、
前記プロセッサは、前記プログラムを実行すると、さらに、
データの伝送をトリガーしたかを指示するためのＮ（１以上の整数）ビットの指示情報を含むダウンリンク制御情報ＤＣＩをトランシーバで送信するステップと、
前記ＤＣＩでの指示情報に基づいて伝送を行うステップとを実現する、基地局。
【請求項２６】
前記ＤＣＩには、非周期的チャネル状態情報ＣＳＩの伝送をトリガーしたかを指示するためのＸ（１以上の整数）ビットの非周期的ＣＳＩ指示フィールドをさらに含む、請求項２５に記載の基地局。
【請求項２７】
前記Ｘビットの非周期的ＣＳＩ指示フィールドによって非周期的ＣＳＩの伝送をトリガーしなかったと指示する場合と、前記Ｎビットの指示情報によってデータの伝送をトリガーしなかったと指示する場合とは、同時に存在しない、請求項２６に記載の基地局。
【請求項２８】
前記Ｎは、１である、請求項２５に記載の基地局。
【請求項２９】
１ビットの指示情報は、０である場合、データの伝送をトリガーしなかったと指示し、１である場合、データの伝送をトリガーしたと指示し、
または、１ビットの指示情報は、０である場合、データの伝送をトリガーしたと指示し、１である場合、データの伝送をトリガーしなかったと指示する、請求項２８に記載の基地局。
【請求項３０】
前記ＤＣＩは、アップリンク伝送をスケジューリングするアップリンクＤＣＩであり、
前記プロセッサは、前記プログラムを実行すると、さらに、
前記アップリンクＤＣＩによってデータの伝送をトリガーし、前記アップリンクＤＣＩにＸビットの非周期的ＣＳＩの指示フィールドを含み、かつ前記指示フィールドが、非周期的ＣＳＩ伝送をトリガーしなかった状態にセットされる場合、前記アップリンクＤＣＩによってスケジューリングされるＰＵＳＣＨでＵＬ−ＳＣＨデータ情報をトランシーバで受信するステップと、
前記アップリンクＤＣＩによってデータの伝送をトリガーし、前記アップリンクＤＣＩにＸビットの非周期的ＣＳＩの指示フィールドを含み、かつ前記指示フィールドが、非周期的ＣＳＩ伝送をトリガーする状態にセットされる場合、前記アップリンクＤＣＩによってスケジューリングされるＰＵＳＣＨでＵＬ−ＳＣＨデータ情報および非周期的ＣＳＩをトランシーバで受信するステップと、
前記ＤＣＩによってデータの伝送をトリガーせず、前記アップリンクＤＣＩにＸビットの非周期的ＣＳＩの指示フィールドを含み、かつ前記指示フィールドが、非周期的ＣＳＩ伝送をトリガーする状態にセットされる場合、前記ＤＣＩによってスケジューリングされるＰＵＳＣＨで非周期的ＣＳＩをトランシーバで受信するステップとを実現する、請求項２５に記載の基地局。
【請求項３１】
前記ＤＣＩは、ダウンリンク伝送をスケジューリングするダウンリンクＤＣＩであり、
前記プロセッサは、前記プログラムを実行すると、さらに、
前記ダウンリンクＤＣＩによってデータの伝送をトリガーした場合、前記ダウンリンクＤＣＩによってスケジューリングされるＰＤＳＣＨでダウンリンクデータをトランシーバで送信するステップと、
前記ダウンリンクＤＣＩによってデータの伝送をトリガーせず、前記ＤＣＩにＸビットの非周期的ＣＳＩの指示フィールドを含み、かつ前記指示フィールドが、非周期的ＣＳＩ伝送をトリガーする状態にセットされる場合、前記ダウンリンクＤＣＩによってスケジューリングされるＰＵＣＣＨで非周期的ＣＳＩをトランシーバで受信するステップとを実現する、請求項２５に記載の基地局。
【請求項３２】
プログラムが格納されているコンピュータ読み取り可能な記憶媒体であって、
当該プログラムがプロセッサによって実行されると、請求項９〜１５のいずれか一項に記載の伝送方法のステップが実現される、コンピュータ読み取り可能な記憶媒体。
【請求項３３】
データの伝送をトリガーしたかを指示するためのＮ（１以上の整数）ビットの指示情報を含むダウンリンク制御情報ＤＣＩを受信するための受信モジュールと、
前記ＤＣＩでの指示情報に基づいて伝送を行うための第１伝送モジュールとを含む、端末。
【請求項３４】
データの伝送をトリガーしたかを指示するためのＮ（１以上の整数）ビットの指示情報を含むダウンリンク制御情報ＤＣＩを送信するための送信モジュールと、
前記ＤＣＩでの指示情報に基づいて伝送を行うための第２伝送モジュールとを含む、基地局。
【発明の詳細な説明】
【技術分野】
【０００１】
本願は、２０１７年１２月１３日に中国特許庁に提出された中国特許出願２０１７１１３３００１７．３の優先権を主張し、その全ての内容が援用によりここに取り込まれる。
本開示は、通信応用の技術分野に係り、特に伝送方法、端末および基地局に係る。
【背景技術】
【０００２】
ＬＴＥ（登録商標）（Ｌｏｎｇ  Ｔｅｒｍ  Ｅｖｏｌｕｔｉｏｎ）無線通信システムにおいて、非周期的ＣＳＩ（Ｃｈａｎｎｅｌ  Ｓｔａｔｅ  Ｉｎｆｏｒｍａｔｉｏｎ）は、ＰＵＳＣＨ（Ｐｈｙｓｉｃａｌ  ＵｐｌｉｎｋＳｈａｒｅｄ  Ｃｈａｎｎｅｌ）で伝送され、ｅＮｏｄｅＢは、アップリンクデータをスケジューリングするＤＣＩ（Ｄｏｗｎｌｉｎｋ  Ｃｏｎｔｒｏｌ  Ｉｎｆｏｒｍａｔｉｏｎ）によって、ＵＥによる非周期的ＣＳＩの報知をトリガーする。アップリンクデータをスケジューリングするＤＣＩには、非周期的ＣＳＩの報知をトリガーするための指示フィールドが存在する。当該情報フィールドによって、ＵＥによる非周期的ＣＳＩの報知が必要であると指示する場合、ＵＥは、予め定義された位置でＰＵＳＣＨによって非周期的ＣＳＩの報知を行う。
【０００３】
ＬＴＥシステムでは、制御情報（ＨＡＲＱ−ＡＣＫとＣＳＩを含む）とＵＬ−ＳＣＨデータのＰＵＳＣＨにおける多重化伝送、または、ＰＵＳＣＨにおける制御情報のみの伝送をサポートする。ｅＮｏｄｅＢは、ＤＣＩでの一部の情報フィールドを特殊状態にセットにすることによって、制御情報のみがＰＵＳＣＨで伝送することを示す。３ＧＰＰ（登録商標）プロトコルＴＳ３６．２１３ｅ４０第８．６．２節では、ＵＬ−ＳＣＨのＴＢ伝送がなくＰＵＳＣＨに制御情報伝送のみが存在するとする異なる条件が規定されている。たとえば、一つのありうる場合として、ＤＣＩ  ｆｏｒｍａｔ  ０を使用しかつＭＣＳレベルが２９であり、または、ＤＣＩ  ｆｏｒｍａｔ  ４を使用しかつ一つのＴＢのみをイネーブルにしかつイネーブルされるＴＢに対応するＭＣＳレベルが２９でかつ指示の伝送層数が１であり、ＤＣＩではＣＳＩをトリガーする情報フィールドが１ビットでありかつ非周期的ＣＳＩの報知をトリガーする状態にセットされ、かつＰＲＢ数が４以下であると、当該ＤＣＩによってスケジューリングされるＰＵＳＣＨでは制御情報の伝送のみが存在するとする。
【０００４】
移動通信のトラフィックニーズの発展および変化に伴い、ＩＴＵ（Ｉｎｔｅｒｎａｔｉｏｎａｌ  Ｔｅｌｅｃｏｍｍｕｎｉｃａｔｉｏｎ  Ｕｎｉｏｎ）や３ＧＰＰなどの機構では、５Ｇ  ＮＲ（５  Ｇｅｎｅｒａｔｉｏｎ  Ｎｅｗ  ＲＡＴ）など、新規ＮＲの研究を始めている。ＮＲにおいて、新規に定義されるＭＣＳテーブルには、ＲＶバージョンを指示するためのｉｎｄｅｘまたはリザーブドのｉｎｄｅｘが存在しない可能性があるため、ＰＵＳＣＨに制御情報のみが伝送されると決定するＬＴＥにおける方式は、ＮＲに適用しない可能性がある。また、ＮＲにおいて、ダウンリンクＤＣＩで非周期的ＣＳＩをトリガーしてｓｈｏｒｔ  ＰＵＣＣＨで伝送することをサポートするが、５Ｇシステムではダウンリンク制御情報によって制御情報とデータ両方の伝送をトリガーしたか、それとも制御情報の伝送のみをトリガーしたかの具体的な区別方法がない。すなわち、ダウンリンク制御情報によってデータの伝送をトリガーしたかを、どのように区別するかという問題について、関連の解決策がまだ提案されていない。
【発明の概要】
【発明が解決しようとする課題】
【０００５】
本開示の目的は、伝送方法、端末および基地局を提供し、５Ｇシステムではダウンリンク制御情報によってデータの伝送をトリガーしたかの具体的な区別方法がないという問題を解決しようとする。
【課題を解決するための手段】
【０００６】
上記目的を実現するために、本開示は、伝送方法を提供する。当該方法において、データの伝送をトリガーしたかを指示するためのＮ（１以上の整数）ビットの指示情報を含むダウンリンク制御情報ＤＣＩを受信するステップと、前記ＤＣＩでの指示情報に基づいて伝送を行うステップとを含む。
【０００７】
ここで、前記ＤＣＩには、非周期的チャネル状態情報ＣＳＩの伝送をトリガーしたかを指示するためのＸ（１以上の整数）ビットの非周期的ＣＳＩ指示フィールドをさらに含む。
【０００８】
ここで、前記Ｘビットの非周期的ＣＳＩ指示フィールドによって非周期的ＣＳＩの伝送をトリガーしなかったと指示する場合と、前記Ｎビットの指示情報によってデータの伝送をトリガーしなかったと指示する場合とは、同時に存在しない。
【０００９】
ここで、前記Ｎは、１である。
【００１０】
ここで、１ビットの指示情報は、０である場合、データの伝送をトリガーしなかったと指示し、１である場合、データの伝送をトリガーしたと指示し、または、１ビットの指示情報は、０である場合、データの伝送をトリガーしたと指示し、１である場合、データの伝送をトリガーしなかったと指示する。
【００１１】
ここで、前記ＤＣＩは、アップリンク伝送をスケジューリングするアップリンクＤＣＩであり、前記の前記ＤＣＩでの指示情報に基づいて伝送を行うステップは、前記アップリンクＤＣＩによってデータの伝送をトリガーし、前記アップリンクＤＣＩにＸビットの非周期的ＣＳＩの指示フィールドを含み、かつ前記指示フィールドが、非周期的ＣＳＩ伝送をトリガーしなかった状態にセットされる場合、前記アップリンクＤＣＩによってスケジューリングされるＰＵＳＣＨでＵＬ−ＳＣＨデータ情報を送信するステップと、前記アップリンクＤＣＩによってデータの伝送をトリガーし、前記アップリンクＤＣＩにＸビットの非周期的ＣＳＩの指示フィールドを含み、かつ前記指示フィールドが、非周期的ＣＳＩ伝送をトリガーする状態にセットされる場合、前記アップリンクＤＣＩによってスケジューリングされるＰＵＳＣＨでＵＬ−ＳＣＨデータ情報および非周期的ＣＳＩを送信するステップと、前記アップリンクＤＣＩによってデータの伝送をトリガーせず、前記アップリンクＤＣＩにＸビットの非周期的ＣＳＩの指示フィールドを含み、かつ前記指示フィールドが、非周期的ＣＳＩ伝送をトリガーする状態にセットされる場合、前記ＤＣＩによってスケジューリングされるＰＵＳＣＨで非周期的ＣＳＩを送信するステップとを含む。
【００１２】
ここで、前記ＤＣＩは、ダウンリンク伝送をスケジューリングするダウンリンクＤＣＩであり、前記の前記ＤＣＩでの指示情報に基づいて伝送を行うステップは、前記ダウンリンクＤＣＩによってデータの伝送をトリガーした場合、前記ダウンリンクＤＣＩによってスケジューリングされるＰＤＳＣＨでダウンリンクデータを受信し、前記ＤＣＩに含まれるＸビットの非周期的ＣＳＩ指示フィールドに基づき、非周期的ＣＳＩを報知するか否かを決定するステップと、前記ダウンリンクＤＣＩによってデータの伝送をトリガーせず、前記ＤＣＩにＸビットの非周期的ＣＳＩの指示フィールドを含み、かつ前記指示フィールドが、非周期的ＣＳＩ伝送をトリガーする状態にセットされる場合、前記ダウンリンクＤＣＩによってスケジューリングされるＰＵＣＣＨで非周期的ＣＳＩを送信するステップとを含む。
【００１３】
ここで、前記の前記ＤＣＩに含まれるＸビットの非周期的ＣＳＩ指示フィールドに基づき、非周期的ＣＳＩを報知するか否かを決定するステップは、前記非周期的ＣＳＩ指示フィールドによって非周期的ＣＳＩの報知を指示する場合、非周期的ＣＳＩ、および、前記ダウンリンクＤＣＩによってスケジューリングされるＰＤＳＣＨに対応するＨＡＲＱのフィードバック情報を報知することを含む。
【００１４】
上記目的を実現するために、本開示の実施例は、データ伝送方法をさらに提供する。当該方法において、データの伝送をトリガーしたかを指示するためのＮ（１以上の整数）ビットの指示情報を含むダウンリンク制御情報ＤＣＩを送信するステップと、前記ＤＣＩでの指示情報に基づいて伝送を行うステップとを含む。
【００１５】
ここで、前記ＤＣＩには、非周期的チャネル状態情報ＣＳＩの伝送をトリガーしたかを指示するためのＸ（１以上の整数）ビットの非周期的ＣＳＩ指示フィールドをさらに含む。
【００１６】
ここで、前記Ｘビットの非周期的ＣＳＩ指示フィールドによって非周期的ＣＳＩの伝送をトリガーしなかったと指示する場合と、前記Ｎビットの指示情報によってデータの伝送をトリガーしなかったと指示する場合とは、同時に存在しない。
【００１７】
ここで、前記Ｎは、１である。
【００１８】
ここで、１ビットの指示情報は、０である場合、データの伝送をトリガーしなかったと指示し、１である場合、データの伝送をトリガーしたと指示し、または、１ビットの指示情報は、０である場合、データの伝送をトリガーしたと指示し、１である場合、データの伝送をトリガーしなかったと指示する。
【００１９】
ここで、前記ＤＣＩは、アップリンク伝送をスケジューリングするアップリンクＤＣＩであり、前記の前記ＤＣＩでの指示情報に基づいて伝送を行うステップは、前記アップリンクＤＣＩによってデータの伝送をトリガーし、前記アップリンクＤＣＩにＸビットの非周期的ＣＳＩの指示フィールドを含み、かつ前記指示フィールドが、非周期的ＣＳＩ伝送をトリガーしなかった状態にセットされる場合、前記アップリンクＤＣＩによってスケジューリングされるＰＵＳＣＨでＵＬ−ＳＣＨデータ情報を受信するステップと、前記アップリンクＤＣＩによってデータの伝送をトリガーし、前記アップリンクＤＣＩにＸビットの非周期的ＣＳＩの指示フィールドを含み、かつ前記指示フィールドが、非周期的ＣＳＩ伝送をトリガーする状態にセットされる場合、前記アップリンクＤＣＩによってスケジューリングされるＰＵＳＣＨでＵＬ−ＳＣＨデータ情報および非周期的ＣＳＩを受信するステップと、前記ＤＣＩによってデータの伝送をトリガーせず、前記アップリンクＤＣＩにＸビットの非周期的ＣＳＩの指示フィールドを含み、かつ前記指示フィールドが、非周期的ＣＳＩ伝送をトリガーする状態にセットされる場合、前記ＤＣＩによってスケジューリングされるＰＵＳＣＨで非周期的ＣＳＩを受信するステップとを含む。
【００２０】
ここで、前記ＤＣＩは、ダウンリンク伝送をスケジューリングするダウンリンクＤＣＩであり、前記の前記ＤＣＩでの指示情報に基づいて伝送を行うステップは、前記ダウンリンクＤＣＩによってデータの伝送をトリガーした場合、前記ダウンリンクＤＣＩによってスケジューリングされるＰＤＳＣＨでダウンリンクデータを送信するステップと、前記ダウンリンクＤＣＩによってデータの伝送をトリガーせず、前記ＤＣＩにＸビットの非周期的ＣＳＩの指示フィールドを含み、かつ前記指示フィールドが、非周期的ＣＳＩ伝送をトリガーする状態にセットされる場合、前記ダウンリンクＤＣＩによってスケジューリングされるＰＵＣＣＨで非周期的ＣＳＩを受信するステップとを含む。
【００２１】
上記目的を実現するために、本開示の実施例は、トランシーバと、メモリと、プロセッサと、メモリに格納されてプロセッサで実行可能なプログラムを含む端末をさらに提供する。前記プロセッサは、前記プログラムを実行すると、データの伝送をトリガーしたかを指示するためのＮ（１以上の整数）ビットの指示情報を含むダウンリンク制御情報ＤＣＩをトランシーバで受信するステップと、前記ＤＣＩでの指示情報に基づいて伝送を行うステップとを実現する。
【００２２】
ここで、前記ＤＣＩには、非周期的チャネル状態情報ＣＳＩの伝送をトリガーしたかを指示するためのＸ（１以上の整数）ビットの非周期的ＣＳＩ指示フィールドをさらに含む。
【００２３】
ここで、前記Ｘビットの非周期的ＣＳＩ指示フィールドによって非周期的ＣＳＩの伝送をトリガーしなかったと指示する場合と、前記Ｎビットの指示情報によってデータの伝送をトリガーしなかったと指示する場合とは、同時に存在しない。
【００２４】
ここで、前記Ｎは、１である。
【００２５】
ここで、１ビットの指示情報は、０である場合、データの伝送をトリガーしなかったと指示し、１である場合、データの伝送をトリガーしたと指示し、または、１ビットの指示情報は、０である場合、データの伝送をトリガーしたと指示し、１である場合、データの伝送をトリガーしなかったと指示する。
【００２６】
ここで、前記ＤＣＩは、アップリンク伝送をスケジューリングするアップリンクＤＣＩであり、前記プロセッサは、前記プログラムを実行すると、さらに、前記アップリンクＤＣＩによってデータの伝送をトリガーし、前記アップリンクＤＣＩにＸビットの非周期的ＣＳＩの指示フィールドを含み、かつ前記指示フィールドが、非周期的ＣＳＩ伝送をトリガーしなかった状態にセットされる場合、前記アップリンクＤＣＩによってスケジューリングされるＰＵＳＣＨでＵＬ−ＳＣＨデータ情報をトランシーバで送信するステップと、前記アップリンクＤＣＩによってデータの伝送をトリガーし、前記アップリンクＤＣＩにＸビットの非周期的ＣＳＩの指示フィールドを含み、かつ前記指示フィールドが、非周期的ＣＳＩ伝送をトリガーする状態にセットされる場合、前記アップリンクＤＣＩによってスケジューリングされるＰＵＳＣＨでＵＬ−ＳＣＨデータ情報および非周期的ＣＳＩをトランシーバで送信するステップと、前記アップリンクＤＣＩによってデータの伝送をトリガーせず、前記アップリンクＤＣＩにＸビットの非周期的ＣＳＩの指示フィールドを含み、かつ前記指示フィールドが、非周期的ＣＳＩ伝送をトリガーする状態にセットされる場合、前記ＤＣＩによってスケジューリングされるＰＵＳＣＨで非周期的ＣＳＩをトランシーバで送信するステップとを実現する。
【００２７】
ここで、前記ＤＣＩは、ダウンリンク伝送をスケジューリングするダウンリンクＤＣＩであり、前記プロセッサは、前記プログラムを実行すると、さらに、前記ダウンリンクＤＣＩによってデータの伝送をトリガーした場合、前記ダウンリンクＤＣＩによってスケジューリングされるＰＤＳＣＨでダウンリンクデータをトランシーバで受信し、前記ＤＣＩに含まれるＸビットの非周期的ＣＳＩ指示フィールドに基づき、非周期的ＣＳＩを報知するか否かを決定するステップと、前記ダウンリンクＤＣＩによってデータの伝送をトリガーせず、前記ＤＣＩにＸビットの非周期的ＣＳＩの指示フィールドを含み、かつ前記指示フィールドが、非周期的ＣＳＩ伝送をトリガーする状態にセットされる場合、前記ダウンリンクＤＣＩによってスケジューリングされるＰＵＣＣＨで非周期的ＣＳＩをトランシーバで送信するステップとを実現する。
【００２８】
ここで、前記プロセッサは、前記プログラムを実行すると、さらに、前記非周期的ＣＳＩ指示フィールドによって非周期的ＣＳＩの報知を指示する場合、非周期的ＣＳＩ、および、前記ダウンリンクＤＣＩによってスケジューリングされるＰＤＳＣＨに対応するＨＡＲＱのフィードバック情報を報知するステップを実現する。
【００２９】
上記目的を実現するために、本開示の実施例は、プログラムが格納されているコンピュータ読み取り可能な記憶媒体をさらに提供する。当該プログラムがプロセッサによって実行されると、上記の伝送方法のステップが実現される。
【００３０】
上記目的を実現するために、本開示の実施例は、トランシーバと、メモリと、プロセッサと、メモリに格納されてプロセッサで実行可能なプログラムを含む基地局をさらに提供する。前記プロセッサは、前記プログラムを実行すると、さらに、データの伝送をトリガーしたかを指示するためのＮ（１以上の整数）ビットの指示情報を含むダウンリンク制御情報ＤＣＩをトランシーバで送信するステップと、前記ＤＣＩでの指示情報に基づいて伝送を行うステップとを実現する。
【００３１】
ここで、前記ＤＣＩには、非周期的チャネル状態情報ＣＳＩの伝送をトリガーしたかを指示するためのＸ（１以上の整数）ビットの非周期的ＣＳＩ指示フィールドをさらに含む。
【００３２】
ここで、前記Ｘビットの非周期的ＣＳＩ指示フィールドによって非周期的ＣＳＩの伝送をトリガーしなかったと指示する場合と、前記Ｎビットの指示情報によってデータの伝送をトリガーしなかったと指示する場合とは、同時に存在しない。
【００３３】
ここで、前記Ｎは、１である。
【００３４】
ここで、１ビットの指示情報は、０である場合、データの伝送をトリガーしなかったと指示し、１である場合、データの伝送をトリガーしたと指示し、または、１ビットの指示情報は、０である場合、データの伝送をトリガーしたと指示し、１である場合、データの伝送をトリガーしなかったと指示する。
【００３５】
ここで、前記ＤＣＩは、アップリンク伝送をスケジューリングするアップリンクＤＣＩであり、前記プロセッサは、前記プログラムを実行すると、さらに、前記アップリンクＤＣＩによってデータの伝送をトリガーし、前記アップリンクＤＣＩにＸビットの非周期的ＣＳＩの指示フィールドを含み、かつ前記指示フィールドが、非周期的ＣＳＩ伝送をトリガーしなかった状態にセットされる場合、前記アップリンクＤＣＩによってスケジューリングされるＰＵＳＣＨでＵＬ−ＳＣＨデータ情報をトランシーバで受信するステップと、前記アップリンクＤＣＩによってデータの伝送をトリガーし、前記アップリンクＤＣＩにＸビットの非周期的ＣＳＩの指示フィールドを含み、かつ前記指示フィールドが、非周期的ＣＳＩ伝送をトリガーする状態にセットされる場合、前記アップリンクＤＣＩによってスケジューリングされるＰＵＳＣＨでＵＬ−ＳＣＨデータ情報および非周期的ＣＳＩをトランシーバで受信するステップと、前記ＤＣＩによってデータの伝送をトリガーせず、前記アップリンクＤＣＩにＸビットの非周期的ＣＳＩの指示フィールドを含み、かつ前記指示フィールドが、非周期的ＣＳＩ伝送をトリガーする状態にセットされる場合、前記ＤＣＩによってスケジューリングされるＰＵＳＣＨで非周期的ＣＳＩをトランシーバで受信するステップとを実現する。
【００３６】
ここで、前記ＤＣＩは、ダウンリンク伝送をスケジューリングするダウンリンクＤＣＩであり、前記プロセッサは、前記プログラムを実行すると、さらに、前記ダウンリンクＤＣＩによってデータの伝送をトリガーした場合、前記ダウンリンクＤＣＩによってスケジューリングされるＰＤＳＣＨでダウンリンクデータをトランシーバで送信するステップと、前記ダウンリンクＤＣＩによってデータの伝送をトリガーせず、前記ＤＣＩにＸビットの非周期的ＣＳＩの指示フィールドを含み、かつ前記指示フィールドが、非周期的ＣＳＩ伝送をトリガーする状態にセットされる場合、前記ダウンリンクＤＣＩによってスケジューリングされるＰＵＣＣＨで非周期的ＣＳＩをトランシーバで受信するステップとを実現する。
【００３７】
上記目的を実現するために、本開示の実施例は、プログラムが格納されているコンピュータ読み取り可能な記憶媒体をさらに提供する。当該プログラムがプロセッサによって実行されると、上記の伝送方法のステップが実現される。
【００３８】
上記目的を実現するために、本開示の実施例は、データの伝送をトリガーしたかを指示するためのＮ（１以上の整数）ビットの指示情報を含むダウンリンク制御情報ＤＣＩを受信するための受信モジュールと、前記ＤＣＩでの指示情報に基づいて伝送を行うための第１伝送モジュールとを含む端末をさらに提供する。
【００３９】
上記目的を実現するために、本開示の実施例は、データの伝送をトリガーしたかを指示するためのＮ（１以上の整数）ビットの指示情報を含むダウンリンク制御情報ＤＣＩを送信するための送信モジュールと、前記ＤＣＩでの指示情報に基づいて伝送を行うための第２伝送モジュールとを含む基地局をさらに提供する。
【発明の効果】
【００４０】
本開示の実施例の上記技術手段において、ＤＣＩに含まれるＮビットの指示情報によって、当該ＤＣＩがデータの伝送をトリガーしたかを指示し、よって、伝送側は、当該指示情報に基づき、当該ＤＣＩがデータの伝送をトリガーしたかを取得することができ、５Ｇシステムではダウンリンク制御情報によってデータの伝送をトリガーしたかの具体的な区別方法がないという問題を解決した。
【図面の簡単な説明】
【００４１】
【図１】本開示の実施例における伝送方法のフローチャートその１である。
【図２】本開示の実施例における伝送方法のフローチャートその２である。
【図３】本開示の実施例における端末の構造を示すブロック図である。
【図４】本開示の実施例における端末のモジュール概略図である。
【図５】本開示の実施例における基地局の構造を示すブロック図である。
【図６】本開示の実施例における基地局のモジュール概略図である。
【発明を実施するための形態】
【００４２】
本開示の解決しようとする技術課題、技術手段および利点を明確にするために、以下、具体的な実施例および図面を参照して詳細に記載する。
【００４３】
図１に示すように、本開示の実施例は、端末に応用される伝送方法を提供する。
【００４４】
ステップ１０１において、データの伝送をトリガーしたかを指示するためのＮ（１以上の整数）ビットの指示情報を含むダウンリンク制御情報ＤＣＩを受信する。
【００４５】
Ｎは、１であることが好ましい。本開示の実施例において、ＤＣＩに含まれる１ビットの指示情報によって、当該ＤＣＩがデータの伝送をトリガーしたかを指示する。
【００４６】
具体的に、１ビットの指示情報は、０である場合、データの伝送をトリガーしなかったと指示し、１である場合、データの伝送をトリガーしたと指示し、または、１ビットの指示情報は、０である場合、データの伝送をトリガーしたと指示し、１である場合、データの伝送をトリガーしなかったと指示する。
【００４７】
ステップ１０２において、前記ＤＣＩでの指示情報に基づいて伝送を行う。
【００４８】
本開示の実施例の伝送方法において、ＤＣＩに含まれるＮビットの指示情報によって、当該ＤＣＩがデータの伝送をトリガーしたかを指示し、よって、伝送側は、当該指示情報に基づき、当該ＤＣＩがデータの伝送をトリガーしたかを取得することができ、５Ｇシステムではダウンリンク制御情報によってデータの伝送をトリガーしたかの具体的な区別方法がないという問題を解決した。
【００４９】
選択可能に、前記ＤＣＩには、Ｎビットの指示情報を含むほか、非周期的チャネル状態情報ＣＳＩの伝送をトリガーしたかを指示するためのＸ（１以上の整数）ビットの非周期的ＣＳＩ指示フィールドをさらに含む。
【００５０】
ここで、前記Ｘビットの非周期的ＣＳＩ指示フィールドによって非周期的ＣＳＩの伝送をトリガーしなかったと指示する場合と、前記Ｎビットの指示情報によってデータの伝送をトリガーしなかったと指示する場合とは、同時に存在しない。すなわち、前記ＤＣＩの１ビットの指示情報によってデータの伝送をトリガーしなかったと指示する場合、前記Ｘビットの非周期的ＣＳＩ指示フィールドは、必ず非周期的ＣＳＩの伝送をトリガーすると指示する。
【００５１】
さらに、上記ＤＣＩは、アップリンク伝送をスケジューリングするためのアップリンクＤＣＩと、ダウンリンク伝送をスケジューリングするためのダウンリンクＤＣＩを含み、以下それぞれ説明する。
【００５２】
前記ＤＣＩがアップリンク伝送をスケジューリングするアップリンクＤＣＩである場合、上記ステップ１０２で前記ＤＣＩでの指示情報に基づいて伝送を行うステップは、前記アップリンクＤＣＩによってデータの伝送をトリガーし、前記アップリンクＤＣＩにＸビットの非周期的ＣＳＩの指示フィールドを含み、かつ前記指示フィールドが、非周期的ＣＳＩ伝送をトリガーしなかった状態にセットされる場合、前記アップリンクＤＣＩによってスケジューリングされるＰＵＳＣＨでＵＬ−ＳＣＨデータ情報を送信することを含む。
【００５３】
ここで、端末は、前記アップリンクＤＣＩによってスケジューリングされるＰＵＳＣＨでＵＬ−ＳＣＨデータ情報を送信すると同時に、周期的ＣＳＩおよび／またはＨＡＲＱのフィードバック情報をさらに送信してもよい。当該ＨＡＲＱのフィードバック情報は、ＨＡＲＱ−ＡＣＫ情報とＨＡＲＱ−ＮＡＣＫ情報を含む。
【００５４】
前記アップリンクＤＣＩによってデータの伝送をトリガーし、前記アップリンクＤＣＩにＸビットの非周期的ＣＳＩの指示フィールドを含み、かつ前記指示フィールドが、非周期的ＣＳＩ伝送をトリガーする状態にセットされる場合、前記アップリンクＤＣＩによってスケジューリングされるＰＵＳＣＨでＵＬ−ＳＣＨデータ情報および非周期的ＣＳＩを送信する。
【００５５】
ここで、端末は、前記アップリンクＤＣＩによってスケジューリングされるＰＵＳＣＨでＵＬ−ＳＣＨデータ情報および非周期的ＣＳＩを送信する際に、ＨＡＲＱのフィードバック情報をさらに送信してもよい。
【００５６】
前記アップリンクＤＣＩによってデータの伝送をトリガーせず、前記アップリンクＤＣＩにＸビットの非周期的ＣＳＩの指示フィールドを含み、かつ前記指示フィールドが、非周期的ＣＳＩ伝送をトリガーする状態にセットされる場合、前記ＤＣＩによってスケジューリングされるＰＵＳＣＨで非周期的ＣＳＩを送信する。
【００５７】
ここで、端末は、前記ＤＣＩによってスケジューリングされるＰＵＳＣＨで非周期的ＣＳＩを送信する際に、ＨＡＲＱのフィードバック情報をさらに送信してもよい。
【００５８】
一つのアップリンクＤＣＩに１ビットの指示情報と１ビットの非周期的ＣＳＩ指示フィールドを含むとし、前記１ビットの指示情報は、０であると、データの伝送をトリガーしなかったと示し、１であると、データの伝送をトリガーしたと示し、前記１ビットの指示フィールドは、０であると、非周期的ＣＳＩの伝送をトリガーしなかったと示し、１であると、非周期的ＣＳＩの伝送をトリガーしたと示すと、前記１ビットの指示情報と１ビットの非周期的ＣＳＩ指示フィールドは、同時に０にセットされない。
【００５９】
ケースＡ１：前記１ビットの指示情報が０であり、前記１ビットの非周期的ＣＳＩ指示フィールドが１である場合、端末は、当該ＤＣＩの指示に基づき、ＰＵＳＣＨによって非周期的ＣＳＩを報知し、報知位置でＨＡＲＱ−ＡＣＫのフィードバックが必要でありかつ端末ではＰＵＣＣＨとＰＵＳＣＨの同時伝送がサポートされないと、ＨＡＲＱ−ＡＣＫをＰＵＳＣＨで多重化して非周期的ＣＳＩとともに伝送する。
【００６０】
ケースＢ１：前記１ビットの指示情報が１であり、前記１ビットの非周期的ＣＳＩ指示フィールドが０である場合、端末は、当該ＤＣＩの指示に基づき、ＰＵＳＣＨによってデータを伝送し、報知位置でＨＡＲＱ−ＡＣＫおよび／または周期的ＣＳＩのフィードバックが必要でありかつ端末ではＰＵＣＣＨとＰＵＳＣＨの同時伝送がサポートされないと、ＨＡＲＱ−ＡＣＫおよび／または周期的ＣＳＩをＰＵＳＣＨで多重化して非周期的ＣＳＩとともに伝送する。
【００６１】
ケースＣ１：前記１ビットの指示情報が１であり、前記１ビットの非周期的ＣＳＩ指示フィールドが１である場合、端末は、当該ＤＣＩの指示に基づき、ＰＵＳＣＨによってデータを伝送して非周期的ＣＳＩを報知し、報知位置でＨＡＲＱ−ＡＣＫのフィードバックが必要でありかつ端末ではＰＵＣＣＨとＰＵＳＣＨの同時伝送がサポートされないと、ＨＡＲＱ−ＡＣＫをＰＵＳＣＨで多重化してデータおよび非周期的ＣＳＩとともに伝送する。
【００６２】
前記ＤＣＩがダウンリンク伝送をスケジューリングするダウンリンクＤＣＩである場合、上記ステップ１０２で前記ＤＣＩでの指示情報に基づいて伝送を行うステップは、前記ダウンリンクＤＣＩによってデータの伝送をトリガーした場合、前記ダウンリンクＤＣＩによってスケジューリングされるＰＤＳＣＨでダウンリンクデータを受信し、前記ＤＣＩに含まれるＸビットの非周期的ＣＳＩ指示フィールドに基づき、非周期的ＣＳＩを報知するか否かを決定することを含む。
【００６３】
ここで、前記ＤＣＩの非周期的ＣＳＩ指示フィールドに基づいて、非周期的ＣＳＩの報知が必要であると決定すると、非周期的ＣＳＩを報知する際に、前記ＤＣＩによってスケジューリングされるＰＤＳＣＨに対応するＨＡＲＱのフィードバック情報をさらに報知してもよく、例えば前記ＤＣＩによってスケジューリングされるＰＤＳＣＨに対応するＨＡＲＱ−ＡＣＫを報知する。
【００６４】
前記ダウンリンクＤＣＩによってデータの伝送をトリガーせず、前記ＤＣＩにＸビットの非周期的ＣＳＩの指示フィールドを含み、かつ前記指示フィールドが、非周期的ＣＳＩ伝送をトリガーする状態にセットされる場合、前記ダウンリンクＤＣＩによってスケジューリングされるＰＵＣＣＨで非周期的ＣＳＩを送信する。
【００６５】
ここで、前記ＤＣＩに含まれるＸビットの非周期的ＣＳＩ指示フィールドに基づき、非周期的ＣＳＩを報知するか否かを決定するステップは、前記非周期的ＣＳＩ指示フィールドによって非周期的ＣＳＩの報知を指示する場合、非周期的ＣＳＩ、および、前記ダウンリンクＤＣＩによってスケジューリングされるＰＤＳＣＨに対応するＨＡＲＱのフィードバック情報を報知することを含む。
【００６６】
一つのダウンリンクＤＣＩに１ビットの指示情報と１ビットの非周期的ＣＳＩ指示フィールドを含むとし、前記１ビットの指示情報は、０であると、データの伝送をトリガーしなかったと示し、１であると、データの伝送をトリガーしたと示し、前記１ビットの非周期的ＣＳＩ指示フィールドは、０であると、非周期的ＣＳＩの伝送をトリガーしなかったと示し、１であると、非周期的ＣＳＩの伝送をトリガーしたと示すと、前記１ビットの指示情報と１ビットの非周期的ＣＳＩ指示フィールドは、同時に０にセットされない。
【００６７】
ケースＡ２：前記１ビットの指示情報が０であり、前記１ビットの非周期的ＣＳＩ指示フィールドが１である場合、端末は、当該ＤＣＩの指示に基づき、ｓｈｏｒｔ  ＰＵＣＣＨによって非周期的ＣＳＩを報知する。
【００６８】
ケースＢ２：前記１ビットの指示情報が１であり、前記１ビットの非周期的ＣＳＩ指示フィールドが０である場合、端末は、当該ＤＣＩの指示に基づき、ＰＤＳＣＨによってデータを受信する。
【００６９】
ケースＣ２：前記１ビットの指示情報が１であり、前記１ビットの非周期的ＣＳＩ指示フィールドが１である場合、端末は、当該ＤＣＩの指示に基づき、ＰＤＳＣＨによってデータを受信し、ｓｈｏｒｔ  ＰＵＣＣＨによって非周期的ＣＳＩを報知する。ここで、端末は、前記ｓｈｏｒｔ  ＰＵＣＣＨで、前記ＤＣＩによってスケジューリングされるＰＤＳＣＨに対応するＨＡＲＱ−ＡＣＫフィードバック情報と非周期的ＣＳＩを同時に報知する。
【００７０】
本開示の実施例の伝送方法において、ＤＣＩに含まれるＮビットの指示情報によって、当該ＤＣＩがデータの伝送をトリガーしたかを指示し、よって、伝送側は、当該指示情報に基づき、当該ＤＣＩがデータの伝送をトリガーしたかを取得することができ、５Ｇシステムではダウンリンク制御情報によってデータの伝送をトリガーしたかの具体的な区別方法がないという問題を解決した。
【００７１】
図２に示すように、本開示の実施例は、基地局に応用される伝送方法をさらに提供する。
【００７２】
ステップ２０１において、データの伝送をトリガーしたかを指示するためのＮ（１以上の整数）ビットの指示情報を含むダウンリンク制御情報ＤＣＩを送信する。
【００７３】
Ｎは、１であることが好ましい。本開示の実施例において、ＤＣＩに含まれる１ビットの指示情報によって、当該ＤＣＩがデータの伝送をトリガーしたかを指示する。
【００７４】
具体的に、１ビットの指示情報は、０である場合、データの伝送をトリガーしなかったと指示し、１である場合、データの伝送をトリガーしたと指示し、または、１ビットの指示情報は、０である場合、データの伝送をトリガーしたと指示し、１である場合、データの伝送をトリガーしなかったと指示する。
【００７５】
ステップ２０２において、前記ＤＣＩでの指示情報に基づいて伝送を行う。
【００７６】
ここで、端末側に応用される伝送方法は、基地局側に応用される伝送方法に対応する方法であり、基地局側について詳細に記載したため、ここでは繰り返して記載しない。
【００７７】
本開示の実施例の伝送方法において、ＤＣＩに含まれるＮビットの指示情報によって、当該ＤＣＩがデータの伝送をトリガーしたかを指示し、よって、伝送側は、当該指示情報に基づき、当該ＤＣＩがデータの伝送をトリガーしたかを取得することができ、５Ｇシステムではダウンリンク制御情報によってデータの伝送をトリガーしたかの具体的な区別方法がないという問題を解決した。
【００７８】
選択可能に、前記ＤＣＩには、非周期的チャネル状態情報ＣＳＩの伝送をトリガーしたかを指示するためのＸ（１以上の整数）ビットの非周期的ＣＳＩ指示フィールドをさらに含む。
【００７９】
選択可能に、前記Ｘビットの非周期的ＣＳＩ指示フィールドによって非周期的ＣＳＩの伝送をトリガーしなかったと指示する場合と、前記Ｎビットの指示情報によってデータの伝送をトリガーしなかったと指示する場合とは、同時に存在しない。
【００８０】
選択可能に、前記ＤＣＩは、アップリンク伝送をスケジューリングするアップリンクＤＣＩであり、前記の前記ＤＣＩでの指示情報に基づいて伝送を行うステップは、前記アップリンクＤＣＩによってデータの伝送をトリガーし、前記アップリンクＤＣＩにＸビットの非周期的ＣＳＩの指示フィールドを含み、かつ前記指示フィールドが、非周期的ＣＳＩ伝送をトリガーしなかった状態にセットされる場合、前記アップリンクＤＣＩによってスケジューリングされるＰＵＳＣＨでＵＬ−ＳＣＨデータ情報を受信するステップと、前記アップリンクＤＣＩによってデータの伝送をトリガーし、前記アップリンクＤＣＩにＸビットの非周期的ＣＳＩの指示フィールドを含み、かつ前記指示フィールドが、非周期的ＣＳＩ伝送をトリガーする状態にセットされる場合、前記アップリンクＤＣＩによってスケジューリングされるＰＵＳＣＨでＵＬ−ＳＣＨデータ情報および非周期的ＣＳＩを受信するステップと、前記ＤＣＩによってデータの伝送をトリガーせず、前記アップリンクＤＣＩにＸビットの非周期的ＣＳＩの指示フィールドを含み、かつ前記指示フィールドが、非周期的ＣＳＩ伝送をトリガーする状態にセットされる場合、前記ＤＣＩによってスケジューリングされるＰＵＳＣＨで非周期的ＣＳＩを受信するステップとを含む。
【００８１】
選択可能に、前記ＤＣＩは、ダウンリンク伝送をスケジューリングするダウンリンクＤＣＩであり、前記の前記ＤＣＩでの指示情報に基づいて伝送を行うステップは、前記ダウンリンクＤＣＩによってデータの伝送をトリガーした場合、前記ダウンリンクＤＣＩによってスケジューリングされるＰＤＳＣＨでダウンリンクデータを送信するステップと、前記ダウンリンクＤＣＩによってデータの伝送をトリガーせず、前記ＤＣＩにＸビットの非周期的ＣＳＩの指示フィールドを含み、かつ前記指示フィールドが、非周期的ＣＳＩ伝送をトリガーする状態にセットされる場合、前記ダウンリンクＤＣＩによってスケジューリングされるＰＵＣＣＨで非周期的ＣＳＩを受信するステップとを含む。
【００８２】
本開示の実施例の伝送方法において、ＤＣＩに含まれるＮビットの指示情報によって、当該ＤＣＩがデータの伝送をトリガーしたかを指示し、よって、伝送側は、当該指示情報に基づき、当該ＤＣＩがデータの伝送をトリガーしたかを取得することができ、５Ｇシステムではダウンリンク制御情報によってデータの伝送をトリガーしたかの具体的な区別方法がないという問題を解決した。
【００８３】
図３に示すように、本開示の実施例は、トランシーバと、メモリと、プロセッサと、メモリに格納されてプロセッサで実行可能なプログラムを含む端末をさらに提供する。前記プロセッサは、前記プログラムを実行すると、データの伝送をトリガーしたかを指示するためのＮ（１以上の整数）ビットの指示情報を含むダウンリンク制御情報ＤＣＩをトランシーバで受信するステップと、前記ＤＣＩでの指示情報に基づいて伝送を行うステップとを実現する。
【００８４】
ここで、図３において、バスアーキテクチャは、任意数の相互接続するバスとブリッジを含み、具体的に、プロセッサ３００をはじめとする１つ又は複数のプロセッサとメモリ３２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ３１０は、複数の部品であってもよく、即ち送信機と受信機を含み、伝送媒体でほかの各種類の装置と通信するユニットとして提供される。ユーザ機器によっては、ユーザインタフェース３３０は、内部接続や外部接続する機器のインタフェースであってもよい。接続する機器は、キーパッド、ディスプレイ、スピーカ、マイクロフォン、ジョイスティックなどを含むが、それらに限られない。
【００８５】
プロセッサ３００は、バスアーキテクチャと通常の処理を管理する。メモリ３２０は、プロセッサ３００による操作実行に使用されるデータを記憶できる。
【００８６】
選択可能に、前記ＤＣＩには、非周期的チャネル状態情報ＣＳＩの伝送をトリガーしたかを指示するためのＸ（１以上の整数）ビットの非周期的ＣＳＩ指示フィールドをさらに含む。
【００８７】
選択可能に、前記Ｘビットの非周期的ＣＳＩ指示フィールドによって非周期的ＣＳＩの伝送をトリガーしなかったと指示する場合と、前記Ｎビットの指示情報によってデータの伝送をトリガーしなかったと指示する場合とは、同時に存在しない。
【００８８】
選択可能に、前記Ｎは、１である。
【００８９】
選択可能に、１ビットの指示情報は、０である場合、データの伝送をトリガーしなかったと指示し、１である場合、データの伝送をトリガーしたと指示し、または、１ビットの指示情報は、０である場合、データの伝送をトリガーしたと指示し、１である場合、データの伝送をトリガーしなかったと指示する。
【００９０】
選択可能に、前記ＤＣＩは、アップリンク伝送をスケジューリングするアップリンクＤＣＩであり、前記プロセッサ３００は、メモリ３２０からプログラムを読み取ることによって、さらに、前記アップリンクＤＣＩによってデータの伝送をトリガーし、前記アップリンクＤＣＩにＸビットの非周期的ＣＳＩの指示フィールドを含み、かつ前記指示フィールドが、非周期的ＣＳＩ伝送をトリガーしなかった状態にセットされる場合、前記アップリンクＤＣＩによってスケジューリングされるＰＵＳＣＨでＵＬ−ＳＣＨデータ情報をトランシーバで送信するステップと、前記アップリンクＤＣＩによってデータの伝送をトリガーし、前記アップリンクＤＣＩにＸビットの非周期的ＣＳＩの指示フィールドを含み、かつ前記指示フィールドが、非周期的ＣＳＩ伝送をトリガーする状態にセットされる場合、前記アップリンクＤＣＩによってスケジューリングされるＰＵＳＣＨでＵＬ−ＳＣＨデータ情報および非周期的ＣＳＩをトランシーバで送信するステップと、前記アップリンクＤＣＩによってデータの伝送をトリガーせず、前記アップリンクＤＣＩにＸビットの非周期的ＣＳＩの指示フィールドを含み、かつ前記指示フィールドが、非周期的ＣＳＩ伝送をトリガーする状態にセットされる場合、前記ＤＣＩによってスケジューリングされるＰＵＳＣＨで非周期的ＣＳＩをトランシーバで送信するステップとを実行する。
【００９１】
選択可能に、前記ＤＣＩは、ダウンリンク伝送をスケジューリングするダウンリンクＤＣＩであり、前記プロセッサ３００は、メモリ３２０からプログラムを読み取ることによって、さらに、前記ダウンリンクＤＣＩによってデータの伝送をトリガーした場合、前記ダウンリンクＤＣＩによってスケジューリングされるＰＤＳＣＨでダウンリンクデータをトランシーバで受信し、前記ＤＣＩに含まれるＸビットの非周期的ＣＳＩ指示フィールドに基づき、非周期的ＣＳＩを報知するか否かを決定するステップと、前記ダウンリンクＤＣＩによってデータの伝送をトリガーせず、前記ＤＣＩにＸビットの非周期的ＣＳＩの指示フィールドを含み、かつ前記指示フィールドが、非周期的ＣＳＩ伝送をトリガーする状態にセットされる場合、前記ダウンリンクＤＣＩによってスケジューリングされるＰＵＣＣＨで非周期的ＣＳＩをトランシーバで送信するステップとを実行する。
【００９２】
プロセッサ３００は、メモリ３２０からプログラムを読み取ることによって、さらに、前記非周期的ＣＳＩ指示フィールドによって非周期的ＣＳＩの報知を指示する場合、非周期的ＣＳＩ、および、前記ダウンリンクＤＣＩによってスケジューリングされるＰＤＳＣＨに対応するＨＡＲＱのフィードバック情報を報知するステップを実行する。
【００９３】
本開示の一部実施例において、プログラムが格納されているコンピュータ読み取り可能な記憶媒体をさらに提供する。当該プログラムがプロセッサによって実行されると、データの伝送をトリガーしたかを指示するためのＮ（１以上の整数）ビットの指示情報を含むダウンリンク制御情報ＤＣＩを受信するステップと、前記ＤＣＩでの指示情報に基づいて伝送を行うステップとが実現される。
【００９４】
当該プログラムがプロセッサによって実行されると、上記の端末側に応用される伝送方法の実施例のすべての実現方式を実現可能であり、重複を避けるために、ここでは繰り返して記載しない。
【００９５】
図４に示すように、本開示の実施例は、データの伝送をトリガーしたかを指示するためのＮ（１以上の整数）ビットの指示情報を含むダウンリンク制御情報ＤＣＩを受信するための受信モジュール４０１と、前記ＤＣＩでの指示情報に基づいて伝送を行うための第１伝送モジュール４０２とを含む端末をさらに提供する。
【００９６】
本開示の実施例の端末において、前記ＤＣＩには、非周期的チャネル状態情報ＣＳＩの伝送をトリガーしたかを指示するためのＸ（１以上の整数）ビットの非周期的ＣＳＩ指示フィールドをさらに含む。
【００９７】
本開示の実施例の端末において、前記Ｘビットの非周期的ＣＳＩ指示フィールドによって非周期的ＣＳＩの伝送をトリガーしなかったと指示する場合と、前記Ｎビットの指示情報によってデータの伝送をトリガーしなかったと指示する場合とは、同時に存在しない。
【００９８】
本開示の実施例の端末において、前記Ｎは、１である。
【００９９】
本開示の実施例の端末において、１ビットの指示情報は、０である場合、データの伝送をトリガーしなかったと指示し、１である場合、データの伝送をトリガーしたと指示し、または、１ビットの指示情報は、０である場合、データの伝送をトリガーしたと指示し、１である場合、データの伝送をトリガーしなかったと指示する。
【０１００】
本開示の実施例の端末において、前記ＤＣＩは、アップリンク伝送をスケジューリングするアップリンクＤＣＩであり、前記第１伝送モジュール４０２は、前記アップリンクＤＣＩによってデータの伝送をトリガーし、前記アップリンクＤＣＩにＸビットの非周期的ＣＳＩの指示フィールドを含み、かつ前記指示フィールドが、非周期的ＣＳＩ伝送をトリガーしなかった状態にセットされる場合、前記アップリンクＤＣＩによってスケジューリングされるＰＵＳＣＨでＵＬ−ＳＣＨデータ情報を送信するための第１伝送サブモジュールと、前記アップリンクＤＣＩによってデータの伝送をトリガーし、前記アップリンクＤＣＩにＸビットの非周期的ＣＳＩの指示フィールドを含み、かつ前記指示フィールドが、非周期的ＣＳＩ伝送をトリガーする状態にセットされる場合、前記アップリンクＤＣＩによってスケジューリングされるＰＵＳＣＨでＵＬ−ＳＣＨデータ情報および非周期的ＣＳＩを送信するための第２伝送サブモジュールと、前記ＤＣＩによってデータの伝送をトリガーせず、前記アップリンクＤＣＩにＸビットの非周期的ＣＳＩの指示フィールドを含み、かつ前記指示フィールドが、非周期的ＣＳＩ伝送をトリガーする状態にセットされる場合、前記ＤＣＩによってスケジューリングされるＰＵＳＣＨで非周期的ＣＳＩを送信するための第３伝送サブモジュールとを含む。
【０１０１】
本開示の実施例の端末において、前記ＤＣＩは、ダウンリンク伝送をスケジューリングするダウンリンクＤＣＩであり、前記第１伝送モジュール４０２は、前記ダウンリンクＤＣＩによってデータの伝送をトリガーした場合、前記ダウンリンクＤＣＩによってスケジューリングされるＰＤＳＣＨでダウンリンクデータをトランシーバで受信するための第４伝送サブモジュールと、前記ダウンリンクＤＣＩによってデータの伝送をトリガーせず、前記ＤＣＩにＸビットの非周期的ＣＳＩの指示フィールドを含み、かつ前記指示フィールドが、非周期的ＣＳＩ伝送をトリガーする状態にセットされる場合、前記ダウンリンクＤＣＩによってスケジューリングされるＰＵＣＣＨで非周期的ＣＳＩを送信するための第５伝送サブモジュールとを含む。
【０１０２】
本開示の実施例の端末において、前記第４伝送サブモジュールは、前記非周期的ＣＳＩ指示フィールドによって非周期的ＣＳＩの報知を指示する場合、非周期的ＣＳＩ、および、前記ダウンリンクＤＣＩによってスケジューリングされるＰＤＳＣＨに対応するＨＡＲＱのフィードバック情報を報知することに用いられる。
【０１０３】
本開示の実施例の端末において、ＤＣＩに含まれるＮビットの指示情報によって、当該ＤＣＩがデータの伝送をトリガーしたかを指示し、よって、伝送側は、当該指示情報に基づき、当該ＤＣＩがデータの伝送をトリガーしたかを取得することができ、５Ｇシステムではダウンリンク制御情報によってデータの伝送をトリガーしたかの具体的な区別方法がないという問題を解決した。
【０１０４】
図５に示すように、本開示の実施例は、メモリ５２０と、プロセッサ５００と、トランシーバ５１０と、バスインタフェースと、メモリ５２０に格納されてプロセッサ５００で実行可能なプログラムを含む基地局をさらに提供する。前記プロセッサ５００は、メモリ５２０からプログラムを読み取ることによって、データの伝送をトリガーしたかを指示するためのＮ（１以上の整数）ビットの指示情報を含むダウンリンク制御情報ＤＣＩをトランシーバで送信するプロセスと、前記ＤＣＩでの指示情報に基づいて伝送を行うプロセスとを実行することに用いられる。
【０１０５】
ここで、図５において、バスアーキテクチャは、任意数の相互接続するバスとブリッジを含み、具体的に、プロセッサ５００をはじめとする１つ又は複数のプロセッサとメモリ５２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ５１０は、複数の部品であってもよく、即ち送信機と受信機を含み、伝送媒体でほかの各種類の装置と通信するユニットとして提供される。プロセッサ５００は、バスアーキテクチャと通常の処理を管理する。メモリ５２０は、プロセッサ５００による操作実行に使用されるデータを記憶できる。
【０１０６】
選択可能に、前記ＤＣＩには、非周期的チャネル状態情報ＣＳＩの伝送をトリガーしたかを指示するためのＸ（１以上の整数）ビットの非周期的ＣＳＩ指示フィールドをさらに含む。
【０１０７】
選択可能に、前記Ｘビットの非周期的ＣＳＩ指示フィールドによって非周期的ＣＳＩの伝送をトリガーしなかったと指示する場合と、前記Ｎビットの指示情報によってデータの伝送をトリガーしなかったと指示する場合とは、同時に存在しない。
【０１０８】
選択可能に、前記Ｎは、１である。
【０１０９】
選択可能に、１ビットの指示情報は、０である場合、データの伝送をトリガーしなかったと指示し、１である場合、データの伝送をトリガーしたと指示し、または、１ビットの指示情報は、０である場合、データの伝送をトリガーしたと指示し、１である場合、データの伝送をトリガーしなかったと指示する。
【０１１０】
選択可能に、前記ＤＣＩは、アップリンク伝送をスケジューリングするアップリンクＤＣＩであり、前記プロセッサ５００は、前記プログラムを実行すると、さらに、前記アップリンクＤＣＩによってデータの伝送をトリガーし、前記アップリンクＤＣＩにＸビットの非周期的ＣＳＩの指示フィールドを含み、かつ前記指示フィールドが、非周期的ＣＳＩ伝送をトリガーしなかった状態にセットされる場合、前記アップリンクＤＣＩによってスケジューリングされるＰＵＳＣＨでＵＬ−ＳＣＨデータ情報を受信するステップと、前記アップリンクＤＣＩによってデータの伝送をトリガーし、前記アップリンクＤＣＩにＸビットの非周期的ＣＳＩの指示フィールドを含み、かつ前記指示フィールドが、非周期的ＣＳＩ伝送をトリガーする状態にセットされる場合、前記アップリンクＤＣＩによってスケジューリングされるＰＵＳＣＨでＵＬ−ＳＣＨデータ情報および非周期的ＣＳＩを受信するステップと、前記ＤＣＩによってデータの伝送をトリガーせず、前記アップリンクＤＣＩにＸビットの非周期的ＣＳＩの指示フィールドを含み、かつ前記指示フィールドが、非周期的ＣＳＩ伝送をトリガーする状態にセットされる場合、前記ＤＣＩによってスケジューリングされるＰＵＳＣＨで非周期的ＣＳＩを受信するステップとを実現する。
【０１１１】
選択可能に、前記ＤＣＩは、ダウンリンク伝送をスケジューリングするダウンリンクＤＣＩであり、前記プロセッサ５００は、前記プログラムを実行すると、さらに、前記ダウンリンクＤＣＩによってデータの伝送をトリガーした場合、前記ダウンリンクＤＣＩによってスケジューリングされるＰＤＳＣＨでダウンリンクデータを送信するステップと、前記ダウンリンクＤＣＩによってデータの伝送をトリガーせず、前記ＤＣＩにＸビットの非周期的ＣＳＩの指示フィールドを含み、かつ前記指示フィールドが、非周期的ＣＳＩ伝送をトリガーする状態にセットされる場合、前記ダウンリンクＤＣＩによってスケジューリングされるＰＵＣＣＨで非周期的ＣＳＩを受信するステップとを実現する。
【０１１２】
本開示の一部実施例において、プログラムが格納されているコンピュータ読み取り可能な記憶媒体をさらに提供する。当該プログラムがプロセッサによって実行されると、データの伝送をトリガーしたかを指示するためのＮ（１以上の整数）ビットの指示情報を含むダウンリンク制御情報ＤＣＩをトランシーバで送信するステップと、前記ＤＣＩでの指示情報に基づいて伝送を行うステップとを実行する。
【０１１３】
当該プログラムがプロセッサによって実行されると、上記の基地局側に応用される方法の実施例のすべての実現方式を実現可能であり、重複を避けるために、ここでは繰り返して記載しない。
【０１１４】
図６に示すように、本開示の実施例は、データの伝送をトリガーしたかを指示するためのＮ（１以上の整数）ビットの指示情報を含むダウンリンク制御情報ＤＣＩを送信するための送信モジュール６０１と、前記ＤＣＩでの指示情報に基づいて伝送を行うための第２伝送モジュール６０２とを含む基地局をさらに提供する。
【０１１５】
本開示の実施例の基地局において、前記ＤＣＩには、非周期的チャネル状態情報ＣＳＩの伝送をトリガーしたかを指示するためのＸ（１以上の整数）ビットの非周期的ＣＳＩ指示フィールドをさらに含む。
【０１１６】
本開示の実施例の基地局において、前記Ｘビットの非周期的ＣＳＩ指示フィールドによって非周期的ＣＳＩの伝送をトリガーしなかったと指示する場合と、前記Ｎビットの指示情報によってデータの伝送をトリガーしなかったと指示する場合とは、同時に存在しない。
【０１１７】
本開示の実施例の基地局において、前記Ｎは、１である。
【０１１８】
本開示の実施例の基地局において、１ビットの指示情報は、０である場合、データの伝送をトリガーしなかったと指示し、１である場合、データの伝送をトリガーしたと指示し、または、１ビットの指示情報は、０である場合、データの伝送をトリガーしたと指示し、１である場合、データの伝送をトリガーしなかったと指示する。
【０１１９】
本開示の実施例の基地局において、前記ＤＣＩは、アップリンク伝送をスケジューリングするアップリンクＤＣＩであり、前記第２伝送モジュール６０２は、前記アップリンクＤＣＩによってデータの伝送をトリガーし、前記アップリンクＤＣＩにＸビットの非周期的ＣＳＩの指示フィールドを含み、かつ前記指示フィールドが、非周期的ＣＳＩ伝送をトリガーしなかった状態にセットされる場合、前記アップリンクＤＣＩによってスケジューリングされるＰＵＳＣＨでＵＬ−ＳＣＨデータ情報を受信するための第６伝送サブモジュールと、前記アップリンクＤＣＩによってデータの伝送をトリガーし、前記アップリンクＤＣＩにＸビットの非周期的ＣＳＩの指示フィールドを含み、かつ前記指示フィールドが、非周期的ＣＳＩ伝送をトリガーする状態にセットされる場合、前記アップリンクＤＣＩによってスケジューリングされるＰＵＳＣＨでＵＬ−ＳＣＨデータ情報および非周期的ＣＳＩを受信するための第７伝送サブモジュールと、前記ＤＣＩによってデータの伝送をトリガーせず、前記アップリンクＤＣＩにＸビットの非周期的ＣＳＩの指示フィールドを含み、かつ前記指示フィールドが、非周期的ＣＳＩ伝送をトリガーする状態にセットされる場合、前記ＤＣＩによってスケジューリングされるＰＵＳＣＨで非周期的ＣＳＩを受信するための第８伝送サブモジュールとを含む。
【０１２０】
本開示の実施例の基地局において、前記ＤＣＩは、ダウンリンク伝送をスケジューリングするダウンリンクＤＣＩであり、前記第２伝送モジュール６０２は、前記ダウンリンクＤＣＩによってデータの伝送をトリガーした場合、前記ダウンリンクＤＣＩによってスケジューリングされるＰＤＳＣＨでダウンリンクデータを送信するための第９伝送サブモジュールと、前記ダウンリンクＤＣＩによってデータの伝送をトリガーせず、前記ＤＣＩにＸビットの非周期的ＣＳＩの指示フィールドを含み、かつ前記指示フィールドが、非周期的ＣＳＩ伝送をトリガーする状態にセットされる場合、前記ダウンリンクＤＣＩによってスケジューリングされるＰＵＣＣＨで非周期的ＣＳＩを受信するための第１０伝送サブモジュールとを含む。
【０１２１】
本開示の実施例の基地局において、ＤＣＩに含まれるＮビットの指示情報によって、当該ＤＣＩがデータの伝送をトリガーしたかを指示し、よって、伝送側は、当該指示情報に基づき、当該ＤＣＩがデータの伝送をトリガーしたかを取得することができ、５Ｇシステムではダウンリンク制御情報によってデータの伝送をトリガーしたかの具体的な区別方法がないという問題を解決した。
【０１２２】
本開示の各実施例において、上記各プロセスの番号の大きさは、実行順の前後を意味するのではなく、各プロセスの実行順は、その機能および内在的な論理によって確定されるものであり、本開示の実施例の実施プロセスに対しいっさい限定を構成しないと理解すべきである。
【０１２３】
以上記載されたのは、本開示の好適な実施形態である。当業者は、本開示に記載されている原理を逸脱せずに様々な改良や修飾をすることもできる。これらの改良や修飾も、本開示の保護範囲として見なされるべきである。
【図１】
2021507590.tif 000003
【図２】
2021507590.tif 000004
【図３】
2021507590.tif 000005
【図４】
2021507590.tif 000006
【図５】
2021507590.tif 000007
【図６】
2021507590.tif 000008
【手続補正書】
【提出日】令和2年6月19日(2020.6.19)
【手続補正１】
【補正対象書類名】特許請求の範囲
【補正対象項目名】全文
【補正方法】変更
【補正の内容】
【特許請求の範囲】
【請求項１】
データの伝送をトリガーしたかを指示するためのＮ（１以上の整数）ビットの指示情報を含むダウンリンク制御情報ＤＣＩを受信するステップと、
前記ＤＣＩでの指示情報に基づいて伝送を行うステップとを含む、伝送方法。
【請求項２】
前記ＤＣＩには、非周期的チャネル状態情報ＣＳＩの伝送をトリガーしたかを指示するためのＸ（１以上の整数）ビットの非周期的ＣＳＩ指示フィールドをさらに含む、請求項１に記載の伝送方法。
【請求項３】
前記Ｘビットの非周期的ＣＳＩ指示フィールドによって非周期的ＣＳＩの伝送をトリガーしなかったと指示する場合と、前記Ｎビットの指示情報によってデータの伝送をトリガーしなかったと指示する場合とは、同時に存在しない、請求項２に記載の伝送方法。
【請求項４】
前記Ｎは、１であり、
１ビットの指示情報は、０である場合、データの伝送をトリガーしなかったと指示し、１である場合、データの伝送をトリガーしたと指示し、
または、１ビットの指示情報は、０である場合、データの伝送をトリガーしたと指示し、１である場合、データの伝送をトリガーしなかったと指示する、請求項１に記載の伝送方法。
【請求項５】
前記ＤＣＩは、アップリンク伝送をスケジューリングするアップリンクＤＣＩであり、
前記の前記ＤＣＩでの指示情報に基づいて伝送を行うステップは、
前記アップリンクＤＣＩによってデータの伝送をトリガーし、前記アップリンクＤＣＩにＸビットの非周期的ＣＳＩの指示フィールドを含み、かつ前記指示フィールドが、非周期的ＣＳＩ伝送をトリガーしなかった状態にセットされる場合、前記アップリンクＤＣＩによってスケジューリングされるＰＵＳＣＨでＵＬ−ＳＣＨデータ情報を送信するステップと、
前記アップリンクＤＣＩによってデータの伝送をトリガーし、前記アップリンクＤＣＩにＸビットの非周期的ＣＳＩの指示フィールドを含み、かつ前記指示フィールドが、非周期的ＣＳＩ伝送をトリガーする状態にセットされる場合、前記アップリンクＤＣＩによってスケジューリングされるＰＵＳＣＨでＵＬ−ＳＣＨデータ情報および非周期的ＣＳＩを送信するステップと、
前記アップリンクＤＣＩによってデータの伝送をトリガーせず、前記アップリンクＤＣＩにＸビットの非周期的ＣＳＩの指示フィールドを含み、かつ前記指示フィールドが、非周期的ＣＳＩ伝送をトリガーする状態にセットされる場合、前記ＤＣＩによってスケジューリングされるＰＵＳＣＨで非周期的ＣＳＩを送信するステップとを含む、請求項１に記載の伝送方法。
【請求項６】
前記ＤＣＩは、ダウンリンク伝送をスケジューリングするダウンリンクＤＣＩであり、
前記の前記ＤＣＩでの指示情報に基づいて伝送を行うステップは、
前記ダウンリンクＤＣＩによってデータの伝送をトリガーした場合、前記ダウンリンクＤＣＩによってスケジューリングされるＰＤＳＣＨでダウンリンクデータを受信し、前記ＤＣＩに含まれるＸビットの非周期的ＣＳＩ指示フィールドに基づき、非周期的ＣＳＩを報知するか否かを決定するステップと、
前記ダウンリンクＤＣＩによってデータの伝送をトリガーせず、前記ＤＣＩにＸビットの非周期的ＣＳＩの指示フィールドを含み、かつ前記指示フィールドが、非周期的ＣＳＩ伝送をトリガーする状態にセットされる場合、前記ダウンリンクＤＣＩによってスケジューリングされるＰＵＣＣＨで非周期的ＣＳＩを送信するステップとを含む、請求項１に記載の伝送方法。
【請求項７】
前記の前記ＤＣＩに含まれるＸビットの非周期的ＣＳＩ指示フィールドに基づき、非周期的ＣＳＩを報知するか否かを決定するステップは、
前記非周期的ＣＳＩ指示フィールドによって非周期的ＣＳＩの報知を指示する場合、非周期的ＣＳＩ、および、前記ダウンリンクＤＣＩによってスケジューリングされるＰＤＳＣＨに対応するＨＡＲＱのフィードバック情報を報知することを含む、請求項６に記載の伝送方法。
【請求項８】
データの伝送をトリガーしたかを指示するためのＮ（１以上の整数）ビットの指示情報を含むダウンリンク制御情報ＤＣＩを送信するステップと、
前記ＤＣＩでの指示情報に基づいて伝送を行うステップとを含む、伝送方法。
【請求項９】
前記ＤＣＩには、非周期的チャネル状態情報ＣＳＩの伝送をトリガーしたかを指示するためのＸ（１以上の整数）ビットの非周期的ＣＳＩ指示フィールドをさらに含む、請求項８に記載の伝送方法。
【請求項１０】
前記Ｘビットの非周期的ＣＳＩ指示フィールドによって非周期的ＣＳＩの伝送をトリガーしなかったと指示する場合と、前記Ｎビットの指示情報によってデータの伝送をトリガーしなかったと指示する場合とは、同時に存在しない、請求項９に記載の伝送方法。
【請求項１１】
前記Ｎは、１であり、
１ビットの指示情報は、０である場合、データの伝送をトリガーしなかったと指示し、１である場合、データの伝送をトリガーしたと指示し、
または、１ビットの指示情報は、０である場合、データの伝送をトリガーしたと指示し、１である場合、データの伝送をトリガーしなかったと指示する、請求項８に記載の伝送方法。
【請求項１２】
前記ＤＣＩは、アップリンク伝送をスケジューリングするアップリンクＤＣＩであり、
前記の前記ＤＣＩでの指示情報に基づいて伝送を行うステップは、
前記アップリンクＤＣＩによってデータの伝送をトリガーし、前記アップリンクＤＣＩにＸビットの非周期的ＣＳＩの指示フィールドを含み、かつ前記指示フィールドが、非周期的ＣＳＩ伝送をトリガーしなかった状態にセットされる場合、前記アップリンクＤＣＩによってスケジューリングされるＰＵＳＣＨでＵＬ−ＳＣＨデータ情報を受信するステップと、
前記アップリンクＤＣＩによってデータの伝送をトリガーし、前記アップリンクＤＣＩにＸビットの非周期的ＣＳＩの指示フィールドを含み、かつ前記指示フィールドが、非周期的ＣＳＩ伝送をトリガーする状態にセットされる場合、前記アップリンクＤＣＩによってスケジューリングされるＰＵＳＣＨでＵＬ−ＳＣＨデータ情報および非周期的ＣＳＩを受信するステップと、
前記ＤＣＩによってデータの伝送をトリガーせず、前記アップリンクＤＣＩにＸビットの非周期的ＣＳＩの指示フィールドを含み、かつ前記指示フィールドが、非周期的ＣＳＩ伝送をトリガーする状態にセットされる場合、前記ＤＣＩによってスケジューリングされるＰＵＳＣＨで非周期的ＣＳＩを受信するステップとを含む、請求項８に記載の伝送方法。
【請求項１３】
前記ＤＣＩは、ダウンリンク伝送をスケジューリングするダウンリンクＤＣＩであり、
前記の前記ＤＣＩでの指示情報に基づいて伝送を行うステップは、
前記ダウンリンクＤＣＩによってデータの伝送をトリガーした場合、前記ダウンリンクＤＣＩによってスケジューリングされるＰＤＳＣＨでダウンリンクデータを送信するステップと、
前記ダウンリンクＤＣＩによってデータの伝送をトリガーせず、前記ＤＣＩにＸビットの非周期的ＣＳＩの指示フィールドを含み、かつ前記指示フィールドが、非周期的ＣＳＩ伝送をトリガーする状態にセットされる場合、前記ダウンリンクＤＣＩによってスケジューリングされるＰＵＣＣＨで非周期的ＣＳＩを受信するステップとを含む、請求項８に記載の伝送方法。
【請求項１４】
データの伝送をトリガーしたかを指示するためのＮ（１以上の整数）ビットの指示情報を含むダウンリンク制御情報ＤＣＩを受信するための受信モジュールと、
前記ＤＣＩでの指示情報に基づいて伝送を行うための第１伝送モジュールとを含む、端末。
【請求項１５】
データの伝送をトリガーしたかを指示するためのＮ（１以上の整数）ビットの指示情報を含むダウンリンク制御情報ＤＣＩを送信するための送信モジュールと、
前記ＤＣＩでの指示情報に基づいて伝送を行うための第２伝送モジュールとを含む、基地局。
【国際調査報告】
2021507590.tif 000009
2021507590.tif 000010
2021507590.tif 000011
2021507590.tif 000012